(57)【要約】【課題】本発明は、アンカー用スペーサーに関し、アンカーの孔内での片寄りを防止して、ケーシングに挿通することができると共に復元性も有するスペーサーを提供することが課題である。【解決手段】一対の離間された円筒状の把持部２，２と、前記把持部の間に架設され当該把持部の周方向に複数配設された連結板３と、前記把持部の間に架設され当該把持部の周方向に複数配設されるとともに半径方向に湾曲した湾曲部が２カ所形成された被り厚復元板４とから構成されて成るアンカー用スペーサー１とする。【選択図】図１
2005273317.tif 000002
【特許請求の範囲】
【請求項１】
一対の離間された円筒状の把持部と、
前記把持部の間に架設され当該把持部の周方向に複数配設された連結板と、
前記把持部の間に架設され当該把持部の周方向に複数配設されるとともに半径方向に湾曲した湾曲部が２カ所形成された被り厚復元板と、
から構成されて成ること、
を特徴とする  アンカー用スペーサー。
【請求項２】
スペーサー全体が合成樹脂製であり、被り厚復元板の板厚が２±０．５ｍｍであること、
を特徴とする請求項１に記載のアンカー用スペーサー。
【請求項３】
スペーサーが、その長手方向の軸芯に沿って上下に分割された分割体によって構成されていること、
を特徴とする請求項１または２に記載のアンカー用スペーサー。
【発明の詳細な説明】
【技術分野】
【０００１】
本発明は、例えば、地盤の法面や擁壁等の崩落を防止する永久アンカーにおける、削孔径に対する半径方向のアンカー位置を略中心に位置させるアンカー用スペーサーに関するものである。
【背景技術】
【０００２】
従来、図４に示すように、地盤１２や擁壁等における永久グラウンドアンカー１３において、掘削した孔１４に挿入されるアンカーにおける、耐荷体１６、定着部１７の、孔径に対する偏倚を防止するために、間隔維持のためのスペーサー（提灯スペーサーと称される）１１が用いられる。このようなスペーサーとして、例えば、ポリエチレン等の合成樹脂製のスペーサとすることで、それまでの鋼製の提灯スペーサーに対して耐食性、取付作業性、アンカー鋼棒に対する傷付き防止に優れたものが提案されて知られている（特許文献１参照）。
【特許文献１】特開平８−８５９４８号公報
【０００３】
しかし、上記アンカー用スペーサーにおいては、形が提灯型であり、それをアンカーに装着して、地盤を削孔し当該孔の崩落を防止するケーシングに前記アンカーを挿入する際、ケーシングの継ぎ目におけるカップリング部分を通過させる必要がある。
よって、前記スペーサーの外径は、前記カップリング部の内径（ケーシング内径よりも更に小さい径である）よりも小さくせざるを得ない。そうすると、ケーシングを前記孔から引き抜いた後は、孔径に対して半径方向で隙間が大きくなり、アンカーが孔の中で片寄ってしまう。
【０００４】
その場合、前記合成樹脂性のスペーサーを、アンカーが片寄りしないように外径を大きくすればよいが、そうすると前記カップリング部の内径を通過できないという不都合が生じる。また、前記スペーサーは、円筒状把持部と湾曲した支持部とで成り、この湾曲した支持部が強度的に強くし形成てあって、非常に堅いので、前記カップリング部の通過のためには、該スペーサーの外径を大きくすることができない。
【０００５】
これとは逆に、当該支持部の強度を弱くして可撓性を持たせると、前記カップリング部の通過は可撓性により可能となるが、アンカー自重によりつぶれてしまい、孔内において片寄りが生じて、アンカーの被り厚を確保できない、という課題がある。
【発明の開示】
【発明が解決しようとする課題】
【０００６】
このように、従来のアンカーのスペーサーにおいて、アンカーを孔の中心に維持させて被り厚を均一に確保し、かつ、孔側の最小径となるケーシングの継ぎ目におけるカップリング部の内径を通過させることができないことが課題である。
【課題を解決するための手段】
【０００７】
本発明に係るアンカー用スペーサーの要旨は、一対の離間された円筒状の把持部と、前記把持部の間に架設され当該把持部の周方向に複数配設された連結板と、前記把持部の間に架設され当該把持部の周方向に複数配設されるとともに半径方向に湾曲した湾曲部が２カ所形成された被り厚復元板と、から構成されて成ることである。
【０００８】
また、前記スペーサー全体が合成樹脂製であり、被り厚復元板の板厚が２±０．５ｍｍであること、；
更に、前記スペーサーが、その長手方向の軸芯に沿って上下に分割された分割体によって構成されていること、
を含むものである。
【発明の効果】
【０００９】
本発明のアンカー用スペーサーは、地盤を削孔したケーシングの継ぎ目におけるカップリング内径に対して、被り厚復元板が柔軟に変形して、この部分を通過することができる。更に、そのカップリング内径を通過した後は、その復元力により元の状態に膨らみ、孔径に対するアンカーの片寄りを防止する。これにより、孔に対するアンカーの被り厚が確保される。
このように、前記被り厚復元板が可撓性を有すると共に、アンカーの自重に押しつぶされることなく被り厚を確保する強度を有するには、板厚が２±０．５ｍｍであることで達成されるものである。
更に、スペーサーを２分割体にすることで、アンカーに装着する作業が容易となる。
【発明を実施するための最良の形態】
【００１０】
本発明に係るアンカー用スペーサー１は、図１に示すように、全体が合成樹脂製（例えば、ＡＢＳ樹脂製）で、一対の離間された円筒状の把持部２，２と、前記把持部２，２の間に架設され当該把持部２の周方向に複数配設された連結板３と、前記把持部２，２の間に架設され当該把持部２の周方向に複数配設されるとともに半径方向に湾曲した湾曲部４ａが２カ所形成された被り厚復元板４とから構成されて成る。
【００１１】
前記被り厚復元板４は、その厚さが２ｍｍであり、本発明の目的を達成するため、アンカーに装着した際にそのアンカーの自重により押し潰されることのない強度を有し、且つ、ケーシングのカップリング内径を通過する際には可撓性により変形して通過できるような強度となるような厚みとして、２±０．５ｍｍとする。
【００１２】
また、前記円筒状の把持部２は、図１（Ａ）に示すように、上下方向において、その中心部から２分割されるものである。円筒状に組み立てるときには、互いに相補的に嵌合するロック部２ａにより、係止させるものである。
【００１３】
この実施例では、図１に示すように、前記連結板３は、周方向に均等に６カ所、前記被り厚復元板４は、同じく周方向に均等に６カ所に設けられている。
【００１４】
このスペーサー１と、地盤に孔を削孔するケーシング５との外径と内径との関係について説明する。図１（Ｂ）に示すスペーサー１の把持部２の内径ｈは、図２に示すアンカーにおける耐荷体６の外径ｇとほぼ同じ若しくは若干大きく、該把持部２の外径ａは図１（Ｃ）に示すケーシング５のカップリング内径ｄよりも小さい。
【００１５】
また、前記スペーサー１の外径ｂは、図１（Ｃ）に示す前記ケーシング５の内径ｃよりもほぼ同じか若しくは若干小さく、かつ、カップリング内径ｄよりも大きい。また、図１（Ａ）に示す被り復元板４の湾曲した一山の長さｆは、前記カップリング部の幅ｅとほぼ同じくらいの幅である。
【００１６】
以上のようなスペーサー１による使用方法を説明する。まず、図２に示すように、アンカーの下部の鋼製耐荷体６に、例えば、３個のスペーサー１を適宜な間隔を置いて、２分割体で挟んでロックし、装着する。
【００１７】
次に、図３に示すように、地盤に孔を削孔したケーシング５内に、前記アンカーの定着部側から挿入する。すると、スペーサー１の外径ｂがケーシング５の内径ｃとほぼ同じか若しくは若干小さいのでスムーズに挿入される。次に、図３（Ｂ）に示すように、カップリング部５ａに至ると、前記スペーサー１の外径ｂがカップリング内径ｄよりも大きいので、最初の山４ａが、その可撓性により潰されて変形する。
【００１８】
前記最初の湾曲した山４ａが潰されて、その変形が次の湾曲した山４ａ側に寄せられる。そして、同図（Ｃ）に示すように、前記カップリング部５ａを最初の湾曲した山４ａが通過すると、該山４ａの形状が元に復元し、次の山４ａがカップリング部５ａに到達して、潰されて変形する。このときには、その変形が前記最初の山４ａの方に寄せられる。
【００１９】
その後、図３（Ｄ）に示すように、スペーサー１が、カップリング部５ａを通過する。このようにして、アンカーが孔内に挿入された後に、前記ケーシング５が撤去され、この孔にグラウトが充填される。前記スペーサー１の被り厚復元板４が、前記カップリング部５ａを通過した後、元の形状に戻り、耐荷体６等のアンカーの被り厚を確保するものである。
【００２０】
前記被り厚復元板４の外径ｂが、ケーシング５の内径ｃとほぼ同じなので、アンカーの耐荷体６を孔の中心部に維持させることができ、片寄りが防止される。また、この被り厚復元板４の外径ｂを、ケーシング５の外径とほぼ同じにして、ケーシング５内に当該被り復元板４を変形させながら挿入すれば、ケーシング５を孔から撤去した後に、当該孔内において耐荷体６を、精度良く中心部に位置させることができる。
【図面の簡単な説明】
【００２１】
【図１】本発明に係るアンカー用スペーサー１の正面図（Ａ）、側面図（Ｂ）、ケーシング５の一部断面図（Ｃ）である。
【図２】同本発明のアンカー用スペーサー１をアンカーの下部耐荷体６に装着した状態の正面図である。
【図３】同アンカー用スペーサー１の使用状態を順に示す説明図（Ａ）〜（Ｄ）である。
【図４】従来例に係るスペーサ１１を使用した例の説明図である。
【符号の説明】
【００２２】
１        アンカー用スペーサー、
２        把持部、                ２ａ              ロック部、
３        連結板、
４        被り厚復元板、
５        ケーシング、            ５ａ              カップリング部
６        耐荷体。
【図１】
2005273317.tif 000003
【図２】
2005273317.tif 000004
【図３】
2005273317.tif 000005
【図４】
2005273317.tif 000006